(57)【要約】【課題】コンピューターに対する入力の利便性を向上できるタッチ入力システムを提供する。【解決手段】タッチ入力システム１００はタッチ入力装置１とタッチ入力補助ツール５とを備える。タッチ入力装置１は、検出部１０と機能付加部１１１と入力判定部１１３とを備える。検出部１０は、タッチ入力面１ａを有し、タッチ入力面１ａに対するタッチ入力、または、タッチ入力面１ａに配置されたタッチ入力補助ツール５の位置を検出する。機能付加部１１１は、検出部１０がタッチ入力補助ツール５を検出した場合、タッチ入力面１ａのうち、タッチ入力補助ツール５の位置に対応する対応領域５５０に対して、タッチ入力補助ツール５に対応するタッチ入力ボタン機能を付加する。入力判定部１１３は、検出部１０が対応領域５５０に対するタッチ入力を検出した場合、対応領域５５０に付加されたタッチ入力ボタン機能による入力が行われたものと判定する。【選択図】図１
2020204825.tif 000002
【特許請求の範囲】
【請求項１】
タッチ入力装置と、タッチ入力補助ツールとを備えるタッチ入力システムであって、
前記タッチ入力装置は、
タッチ入力面を有し、前記タッチ入力面に対するタッチ入力物体によるタッチ入力、または、前記タッチ入力面に配置された前記タッチ入力補助ツールの位置を検出する検出部と、
前記検出部が前記タッチ入力補助ツールを検出した場合、前記タッチ入力面のうち、前記タッチ入力補助ツールの位置に対応する対応領域に対して、前記タッチ入力補助ツールに対応するタッチ入力ボタン機能を付加する機能付加部と、
前記検出部が前記対応領域に対する前記タッチ入力物体によるタッチ入力を検出した場合、前記対応領域に付加された前記タッチ入力ボタン機能による入力が行われたものと判定する入力判定部と
を備える、タッチ入力システム。
【請求項２】
前記機能付加部は、前記タッチ入力補助ツールの直下に位置する前記対応領域に対して、前記タッチ入力ボタン機能を付加し、
前記検出部は、前記タッチ入力物体による前記タッチ入力補助ツールの上面に対するタッチを介して、前記タッチ入力補助ツールの直下に位置する前記対応領域に対するタッチ入力を検出する、請求項１に記載のタッチ入力システム。
【請求項３】
前記タッチ入力補助ツールは、シート状である、請求項２に記載のタッチ入力システム。
【請求項４】
前記タッチ入力補助ツールには、前記対応領域に付加される前記タッチ入力ボタン機能の種別と前記対応領域の範囲とのうち少なくとも一方が表示されている、請求項２または請求項３に記載のタッチ入力システム。
【請求項５】
前記タッチ入力ボタン機能は、コンピューターに対する入力デバイスとしての入力機能を含む、請求項１から請求項４のいずれか１項に記載のタッチ入力システム。
【請求項６】
前記タッチ入力補助ツールは、前記入力デバイスを示す形態を有する、請求項５に記載のタッチ入力システム。
【請求項７】
前記タッチ入力ボタン機能は、キーボードとしての入力機能を含む、請求項５または請求項６に記載のタッチ入力システム。
【請求項８】
前記タッチ入力ボタン機能は、マウスとしての入力機能を含む、請求項５または請求項６に記載のタッチ入力システム。
【請求項９】
前記タッチ入力ボタン機能は、タッチパッドとしての入力機能を含む、請求項５または請求項６に記載のタッチ入力システム。
【請求項１０】
タッチ入力面を有し、前記タッチ入力面に対するタッチ入力物体によるタッチ入力、または、前記タッチ入力面に配置されたタッチ入力補助ツールの位置を検出する検出部と、
前記検出部が前記タッチ入力補助ツールを検出した場合、前記タッチ入力面のうち、前記タッチ入力補助ツールの位置に対応する対応領域に対して、前記タッチ入力補助ツールに対応するタッチ入力ボタン機能を付加する機能付加部と、
前記検出部が前記タッチ入力物体による前記対応領域へのタッチ入力を検出した場合、前記対応領域に付加された前記タッチ入力ボタン機能による入力が行われたものと判定する入力判定部と
を備える、タッチ入力装置。
【請求項１１】
請求項１０に記載のタッチ入力装置の前記検出部によって検出され、前記タッチ入力ボタン機能が対応付けられている、タッチ入力補助ツール。
【発明の詳細な説明】
【技術分野】
【０００１】
本発明は、タッチ入力システム、タッチ入力装置、および、タッチ入力補助ツールに関する。
【背景技術】
【０００２】
特許文献１に記載されたタッチテーブルシステムは、タッチテーブル装置と、情報処理装置とを備える。タッチテーブル装置は情報処理装置に接続される。
【０００３】
タッチテーブル装置は、タッチ位置検出部と、タッチ位置変換部とを備える。タッチ位置検出部は、タッチ検出領域内でのタッチ位置を検出する。タッチ位置変換部は、タッチ検出領域内に設定されるユーザーごとの操作領域において取得したタッチ位置の座標を情報処理装置の画面領域の座標に変換する。
【０００４】
情報処理装置は、操作領域設定部と、画面操作処理部とを備える。操作領域設定部は、タッチ位置検出部で取得したタッチ位置に基づいて、タッチ検出領域内にユーザーごとの操作領域を個別に設定する。画面操作処理部は、タッチ位置変換部により変換された画面領域の座標に従って、ユーザーごとの操作領域において操作された処理を同一の画面領域に反映する。
【０００５】
タッチテーブルシステムは、領域指定具をさらに備える。そして、操作領域設定部は、領域指定具を検知した場合には、領域指定具の載置位置に基づいて操作領域を設定する。
【先行技術文献】
【特許文献】
【０００６】
【特許文献１】特開２０１３−４１３５０号公報
【発明の概要】
【発明が解決しようとする課題】
【０００７】
タッチパネル入力装置を備えた入力システムにおいて、通常のタッチ入力とは別にボタン入力を行うことが望まれる場合がある。従来このような場合、タッチパネル入力装置を備えた入力システムにおいてタッチパネル以外に、キーボードやマウスなどのような入力ボタンを備えた電子入力デバイスを別途接続する必要があった。しかし、このようにタッチパネル以外に電子入力デバイスを接続するという方式は、入力システムが煩雑化するうえに、利便性の観点からも望ましくない。
【０００８】
本発明は上記課題に鑑みてなされたものであり、その目的は、タッチ入力補助ツールを用いてタッチパネル上に入力ボタン機能の割当てを行うことにより、コンピューターに対する入力の利便性を向上できるタッチ入力システム、タッチ入力装置、および、タッチ入力補助ツールを提供することにある。
【課題を解決するための手段】
【０００９】
本発明の第１の局面によれば、タッチ入力システムは、タッチ入力装置と、タッチ入力補助ツールとを備える。前記タッチ入力装置は、検出部と、機能付加部と、入力判定部とを備える。検出部は、タッチ入力面を有し、前記タッチ入力面に対するタッチ入力物体によるタッチ入力、または、前記タッチ入力面に配置された前記タッチ入力補助ツールの位置を検出する。機能付加部は、前記検出部が前記タッチ入力補助ツールを検出した場合、前記タッチ入力面のうち、前記タッチ入力補助ツールの位置に対応する対応領域に対して、前記タッチ入力補助ツールに対応するタッチ入力ボタン機能を付加する。入力判定部は、前記検出部が前記対応領域に対する前記タッチ入力物体によるタッチ入力を検出した場合、前記対応領域に付加された前記タッチ入力ボタン機能による入力が行われたものと判定する。
【００１０】
本発明の第２の局面によれば、タッチ入力装置は、検出部と、機能付加部と、入力判定部とを備える。検出部は、タッチ入力面を有し、前記タッチ入力面に対するタッチ入力物体によるタッチ入力、または、前記タッチ入力面に配置されたタッチ入力補助ツールの位置を検出する。機能付加部は、前記検出部が前記タッチ入力補助ツールを検出した場合、前記タッチ入力面のうち、前記タッチ入力補助ツールの位置に対応する対応領域に対して、前記タッチ入力補助ツールに対応するタッチ入力ボタン機能を付加する。入力判定部は、前記検出部が前記タッチ入力物体による前記対応領域へのタッチ入力を検出した場合、前記対応領域に付加された前記タッチ入力ボタン機能による入力が行われたものと判定する。
【００１１】
本発明の第３の局面によれば、タッチ入力補助ツールは、上記第２の局面によるタッチ入力装置の前記検出部によって検出され、前記タッチ入力ボタン機能が対応付けられている。
【発明の効果】
【００１２】
本発明によれば、コンピューターに対する入力の利便性を向上できるタッチ入力システム、タッチ入力装置、および、タッチ入力補助ツールを提供できる。
【図面の簡単な説明】
【００１３】
【図１】本発明の実施形態に係るタッチ入力システムを示す斜視図である。
【図２】本実施形態に係るタッチ入力システムを示すブロック図である。
【図３】本実施形態に係るタッチ入力補助ツールの第１例を示す平面図である。
【図４】本実施形態に係るタッチ入力補助ツールがタッチ入力装置に配置された状態を示す斜視図である。
【図５】（ａ）〜（ｃ）は、本実施形態に係るタッチ入力補助ツールの識別部の一例を示す平面図である。
【図６】（ａ）は、本実施形態に係るタッチ入力補助ツールがタッチ入力装置に配置された状態を示す平面図である。（ｂ）は、本実施形態に係るタッチ入力補助ツールに対応する対応領域を示す平面図である。
【図７】本実施形態に係る参照テーブルを示す図である。
【図８】本実施形態に係るタッチ入力補助ツールの第２例を示す平面図である。
【図９】本実施形態に係るタッチ入力補助ツールの第３例を示す平面図である。
【図１０】本実施形態に係るタッチ入力装置の処理を示すフローチャートである。
【発明を実施するための形態】
【００１４】
以下、本発明の実施形態について、図面を参照しながら説明する。なお、図中、同一または相当部分については同一の参照符号を付して説明を繰り返さない。また、図面には、説明の便宜のため、三次元直交座標系（Ｘ、Ｙ、Ｚ）を適宜記載している。そして、図中、Ｘ軸及びＹ軸は水平方向に平行であり、Ｚ軸は鉛直方向に平行である。
【００１５】
図１〜図１０を参照して、本発明の実施形態に係るタッチ入力システム１００を説明する。まず、図１および図２を参照して、タッチ入力システム１００を説明する。
【００１６】
図１は、本実施形態に係るタッチ入力システム１００を示す斜視図である。図１に示すように、タッチ入力システム１００は、タッチ入力装置１と、タッチ入力補助ツール５と、コンピューター３００と、ディスプレイ４００とを備える。タッチ入力システム１００は、タッチ入力物体２００をさらに備えていてもよい。
【００１７】
タッチ入力装置１は、タッチ入力物体２００によるタッチ入力を受け付けて、タッチ入力によって示される入力情報をコンピューター３００に入力する。タッチ入力装置１は、例えば、タッチパネルである。本実施形態では、タッチ入力装置１はディスプレイを有していない。なお、タッチ入力装置１はディスプレイを有していてもよい。
【００１８】
タッチ入力装置１は、略平板形状を有している。本実施形態では、タッチ入力装置１はテーブル５００上に設置される。タッチ入力装置１は、例えば、水平方向に対して略平行である。
【００１９】
タッチ入力補助ツール５は、タッチ入力物体２００によるタッチ入力を補助する。タッチ入力補助ツール５には、タッチ入力ボタン機能が対応付けられている。タッチ入力ボタン機能は、タッチ入力に応答するボタンとしての機能を示す。
【００２０】
コンピューター３００は、情報処理を実行し、情報処理結果に応じた画像をディスプレイ４００に表示させる。本実施形態では、コンピューター３００は、タッチ入力装置１から入力された入力情報に応じて情報処理を実行し、情報処理結果に応じた画像をディスプレイ４００に表示させる。コンピューター３００は、例えば、パーソナルコンピューターである。なお、コンピューター３００はタッチ入力装置１に含まれていてもよい。
【００２１】
ディスプレイ４００は、コンピューター３００から入力される画像を表示する。ディスプレイ４００は、は、例えば、液晶ディスプレイ、又は、有機エレクトロルミネッセンスディスプレイである。なお、タッチ入力装置１がディスプレイを有する場合は、タッチ入力システム１００は、ディスプレイ４００を備えていなくてもよい。
【００２２】
タッチ入力物体２００は、タッチ入力装置１に対してタッチ入力を行う物体である。タッチ入力物体２００は、例えば、タッチペンのようなスタイラスである。なお、図１では、タッチ入力物体２００がスタイラスである例を示しているが、タッチ入力物体２００は、タッチ入力できる限りにおいては、特に限定されない。例えば、タッチ入力物体２００は、ユーザーの手の指であってもよい。
【００２３】
図２は、タッチ入力システム１００を示すブロック図である。図２に示すように、タッチ入力装置１は、検出部１０と、制御部１１と、記憶部１３とを含む。
【００２４】
図１および図２に示すように、検出部１０は、タッチ入力面１ａを有する。検出部１０は、タッチ入力面１ａに対するタッチ入力物体２００によるタッチ入力を検出する。具体的には、検出部１０は、タッチ入力面１ａに対するタッチ入力物体２００によるタッチ位置を検出して、タッチ位置を示す情報を制御部１１に出力する。タッチ位置は、タッチ入力面１ａにおけるタッチ位置を示す。
【００２５】
また、検出部１０は、タッチ入力面１ａに配置されたタッチ入力補助ツール５を検出する。具体的には、検出部１０は、タッチ入力面１ａに配置されたタッチ入力補助ツール５の位置を検出して、タッチ入力補助ツール５の位置を示す情報を制御部１１に出力する。タッチ入力補助ツール５の位置は、タッチ入力面１ａにおけるタッチ入力補助ツール５の位置を示す。なお、タッチ入力面１ａに配置されたタッチ入力補助ツール５が重力により滑り落ちない限りにおいては、タッチ入力装置１は水平方向に対して傾斜していてもよい。
【００２６】
検出部１０は、例えば、タッチセンサーである。本実施形態では、検出部１０は、静電容量方式によって、タッチ入力物体２００によるタッチ入力と、タッチ入力補助ツール５の位置とを検出する。従って、本明細書において、「タッチ」は、タッチ入力物体２００がタッチ入力面１ａに直接接触している場合に限られず、タッチ入力物体２００が検出部１０の検出可能範囲においてタッチ入力面１ａに対して離間している場合を含む。つまり、「タッチ」は、検出部１０によってタッチ入力物体２００が検出されることを示す。また、検出部１０がタッチ入力物体２００を検出できる限りにおいては、タッチ入力面１ａとタッチ入力物体２００との間に物体が存在していてもよい。なお、検出部１０による検出方式は、静電容量方式に限られず、例えば、電磁誘導方式であってもよい。
【００２７】
タッチ入力物体２００の素材は、検出部１０が検出可能な素材であれば、特に限定されない。本実施形態では、検出部１０の検出方式が静電容量方式であるため、タッチ入力物体２００は、導電性の物体によって構成される。
【００２８】
タッチ入力補助ツール５は本体部５１を含んでいる。そして、本体部５１の素材は、検出部１０が検出不可能な素材であれば、特に限定されない。本実施形態では、検出部１０の検出方式が静電容量方式であるため、本体部５１は、絶縁体によって構成される。絶縁体は、例えば、合成樹脂、紙、または、布である。
【００２９】
制御部１１はタッチ入力装置１の各構成を制御する。制御部１１は、ＣＰＵ（Ｃｅｎｔｒａｌ  Ｐｒｏｃｅｓｓｉｎｇ  Ｕｎｉｔ）のようなプロセッサーを含む。
【００３０】
本実施形態では、制御部１１は、タッチ入力面１ａに、入力領域ＩＮを設定する。そして、制御部１１は、入力領域ＩＮをディスプレイ４００の画面４００ａに一対一に対応させる。つまり、入力領域ＩＮは、画面４００ａと一対一に対応する領域を示す。検出部１０が入力領域ＩＮにおいてタッチ入力を検出すると、制御部１１は、タッチ入力面１ａにおけるタッチ位置に基づいて、入力領域ＩＮにおけるタッチ位置を算出する。
【００３１】
そして、制御部１１は、入力領域ＩＮにおけるタッチ位置を示す情報をコンピューター３００に入力する。コンピューター３００は、入力領域ＩＮにおけるタッチ位置に対応して、ディスプレイ４００にカーソルＣＲを表示させる。また、コンピューター３００は、入力領域ＩＮにおけるタッチ位置の移動軌跡に応じた画像を、ディスプレイ４００に描画させる。
【００３２】
記憶部１３は、記憶装置を含み、データ及びコンピュータープログラムを記憶する。具体的には、記憶部１３は、半導体メモリーのような主記憶装置と、半導体メモリー、ソリッドステートドライブ、及び／又は、ハードディスクドライブのような補助記憶装置とを含む。記憶部１３は、リムーバブルメディアを含んでいてもよい。
【００３３】
制御部１１は、機能付加部１１１と、入力判定部１１３とを含む。具体的には、制御部１１のプロセッサーが、記憶部１３の記憶装置に記憶されたコンピュータープログラムを実行して、機能付加部１１１および入力判定部１１３として機能する。
【００３４】
機能付加部１１１は、検出部１０がタッチ入力補助ツール５を検出した場合、タッチ入力面１ａのうち、タッチ入力補助ツール５の位置に対応する対応領域５５０に対して、タッチ入力補助ツール５に対応するタッチ入力ボタン機能を付加する。従って、ユーザーは、タッチ入力補助ツール５をタッチ入力面１ａに配置することで、タッチ入力面１ａに対してタッチ入力ボタン機能を容易に付加できる。その結果、本実施形態によれば、コンピューター３００に対する入力の利便性を向上できる。
【００３５】
対応領域５５０は、タッチ入力補助ツール５の位置に対応する領域であって、タッチ入力面１ａ上の領域を示す。図１の例では、機能付加部１１１は、１つのタッチ入力補助ツール５に基づいて、１つの対応領域５５０に対応して１つのタッチ入力ボタン機能を付加する。ただし、１つのタッチ入力補助ツール５に複数のタッチ入力ボタン機能が関連付けられていてもよい。この場合は、機能付加部１１１は、１つのタッチ入力補助ツール５に基づいて、複数の対応領域５５０に対して、それぞれ、複数のタッチ入力ボタン機能を付加する。
【００３６】
入力判定部１１３は、検出部１０が対応領域５５０に対するタッチ入力物体２００によるタッチ入力を検出した場合、対応領域５５０に付加されたタッチ入力ボタン機能による入力が行われたものと判定する。そして、入力判定部１１３は、タッチ入力ボタン機能による入力内容を示す情報をコンピューター３００に入力する。コンピューター３００は、タッチ入力ボタン機能による入力内容に応じて情報処理を実行する。従って、ユーザーは、タッチ入力補助ツール５に対応するタッチ入力ボタン機能を利用して、コンピューター３００に対して入力を行うことができる。その結果、本実施形態によれば、コンピューター３００に対する入力の利便性を向上できる。
【００３７】
特に、本実施形態では、機能付加部１１１は、タッチ入力補助ツール５の直下に位置する対応領域５５０に対して、タッチ入力ボタン機能を付加する。そして、検出部１０は、タッチ入力物体２００によるタッチ入力補助ツール５の上面５ｘに対するタッチを介して、タッチ入力補助ツール５の直下に位置する対応領域５５０に対するタッチ入力を検出する。すなわち、タッチ入力補助ツール５ごしに対応領域５５０に対してタッチ入力が行われる。従って、本実施形態によれば、ユーザーは、タッチ入力物体２００によってタッチ入力補助ツール５の上面５ｘをタッチすることで、対応領域５５０に付加されたタッチ入力ボタン機能を容易に利用できる。
【００３８】
加えて、本実施形態では、タッチ入力補助ツール５は、タッチ入力補助ツール５の上面５ｘをタッチしたタッチ入力物体２００を検出部１０が検出可能な程度の厚みを有する。本実施形態では、検出部１０による検出方式が静電容量方式であるため、タッチ入力補助ツール５は、タッチ入力補助ツール５ごしにタッチ入力が行われた場合であっても検出部１０が静電容量の変化を検出できる程度の厚みを有する。
【００３９】
具体的には、タッチ入力補助ツール５は、シート状である。従って、タッチ入力補助ツール５の厚みは比較的薄い。その結果、本実施形態によれば、検出部１０は、タッチ入力補助ツール５の上面５ｘをタッチしたタッチ入力物体２００を容易に検出できる。
【００４０】
また、本実施形態では、タッチ入力補助ツール５に対応付けられているタッチ入力ボタン機能は、コンピューター３００に対する入力デバイスとしての入力機能を含む。従って、機能付加部１１１は、入力デバイスとしての入力機能を対応領域５５０に付加する。その結果、ユーザーは、タッチ入力補助ツール５をタッチ入力面１ａに配置することで、タッチ入力補助ツール５を入力デバイス（具体的には疑似入力デバイス）として利用できる。よって、本実施形態によれば、コンピューター３００に対する入力の利便性をさらに向上できる。
【００４１】
入力デバイスとは、ポインティングデバイスおよびキーボードのようなマンマシンインターフェースのことである。
【００４２】
次に、図３を参照して、タッチ入力補助ツール５の第１例を説明する。以下、第１例に係るタッチ入力補助ツール５を「タッチ入力補助ツール５Ａ」と記載する場合がある。
【００４３】
図３は、タッチ入力補助ツール５Ａを示す平面図である。図３では、説明の便宜のために、対応領域５５０を破線で示している。
【００４４】
図３に示すタッチ入力補助ツール５Ａには、キーボードによるタッチ入力ボタン機能が対応付けられている。つまり、タッチ入力補助ツール５Ａに対応付けられたタッチ入力ボタン機能は、キーボードとしての入力機能を示す。従って、機能付加部１１１は、キーボードとしての入力機能を対応領域５５０に付加する。その結果、ユーザーは、タッチ入力補助ツール５Ａをタッチ入力面１ａに配置することで、タッチ入力補助ツール５Ａをキーボード（具体的には疑似キーボード）として利用できる。よって、本実施形態によれば、コンピューター３００に対する入力の利便性をさらに向上できる。キーボードは、「入力デバイス」の一例に相当する。
【００４５】
具体的には、タッチ入力補助ツール５Ａには、キーボードを構成する複数のキーの機能をそれぞれ示す複数のタッチ入力ボタン機能が対応付けられている。従って、機能付加部１１１は、複数の対応領域５５０に対して、それぞれ、複数のタッチ入力ボタン機能を付加する。具体的には、機能付加部１１１は、複数の対応領域５５０に対して、それぞれ、キーボードを構成する複数のキーの機能を付加する。
【００４６】
また、タッチ入力補助ツール５Ａは、キーボードを示す形態を有している。従って、本実施形態によれば、ユーザーは、タッチ入力補助ツール５Ａに対応付けられたタッチ入力ボタン機能が、キーボードとしての入力機能であることを容易に認識できる。つまり、ユーザーは、タッチ入力補助ツール５Ａをキーボード（具体的には疑似キーボード）として利用できることを容易に認識できる。
【００４７】
本明細書において、「形態」は、図柄、模様、形状、若しくは、色彩、または、図柄と模様と形状と色彩とのうちの一部若しくは全部の組み合わせを示す。
【００４８】
具体的には、タッチ入力補助ツール５Ａは、キーボードを模式的に示した形態を有している。例えば、タッチ入力補助ツール５Ａの本体部５１の上面５ｘまたは下面には、キーボードを模式的に示した図柄が表示（例えば、標示または印刷）されている。例えば、タッチ入力補助ツール５Ａの本体部５１は、キーボードを模式的に示した形状を有している。
【００４９】
さらに、タッチ入力補助ツール５Ａ（具体的には本体部５１）には、タッチ入力補助ツール５Ａに対応付けられたタッチ入力ボタン機能の種別（キーの種別）と対応領域５５０の範囲とのうち少なくとも一方が表示されている。つまり、タッチ入力補助ツール５Ａには、対応領域５５０に付加されるタッチ入力ボタン機能の種別と対応領域５５０の範囲とのうち少なくとも一方が表示されている。従って、本実施形態によれば、タッチ入力装置１がディスプレイを有していなくとも、ユーザーは、タッチ入力補助ツール５Ａの表示により、タッチ入力ボタン機能の種別と対応領域５５０の範囲とのうち少なくとも一方を容易に認識できる。
【００５０】
具体的には、タッチ入力補助ツール５Ａには、対応領域５５０に付加されるタッチ入力ボタン機能の種別（キーの種別）と対応領域５５０の範囲とのうち少なくとも一方を示す記号５５が表示（例えば標示または印刷）されている。図３の例では、複数のタッチ入力ボタン機能（複数のキー）に対応して、複数の記号５５が、本体部５１に表示（例えば標示または印刷）されている。複数の記号５５の各々は、記号５７と、記号５９とを含む。
【００５１】
本明細書において、「記号」は、文字、数字、マーク、若しくは、図柄、または、文字と数字とマークと図柄とのうちの一部若しくは全部の組み合わせを示す。
【００５２】
図３の例では、本体部５１の上面５ｘまたは下面には、対応領域５５０に付加されるタッチ入力ボタン機能の種別（キーの種別）を示す記号５７が表示（例えば標示または印刷）されている。つまり、キーボードのキーに割り当てられる記号５７（例えば、文字「Ｍ」）を本体部５１の上面５ｘまたは下面に表示（例えば、標示または印刷）することで、タッチ入力ボタン機能の種別、つまり、タッチ入力ボタン機能に対応するキーの種別（例えば、文字「Ｍ」）が示される。従って、ユーザーは、対応領域５５０に付加されたタッチ入力ボタン機能に対応するキーの種別および位置を容易に認識できる。
【００５３】
また、図３の例では、本体部５１の上面５ｘまたは下面には、対応領域５５０の範囲を示す記号５９が表示（例えば標示または印刷）されている。つまり、キーボードのキーの形状を示す記号５９（例えば、四角形を示す図柄）を本体部５１の上面５ｘまたは下面に表示（例えば、標示または印刷）することで、対応領域５５０の範囲、つまり、対応領域５５０に対応するキーの範囲が示される。従って、ユーザーは、対応領域５５０に対応するキーの範囲および位置を容易に認識できる。なお、図３では、図面を見易くするために、記号５９を示す実線と対応領域５５０を示す実線とをずらして図示している。
【００５４】
図２に示す入力判定部１１３は、検出部１０が対応領域５５０に対するタッチ入力を検出した場合、対応領域５５０に付加されたタッチ入力ボタン機能による入力が行われたものと判定する。一例としては、対応領域５５０に対してタッチ入力ボタン機能としてキーボードのキーの種別（リターンキー、スペースキー、文字「Ｑ」キー、数字「１」キー等）が割当てられており、入力判定部１１３は、検出部１０が対応領域５５０に対するタッチ入力を検出した場合、これらのキーが入力されたものと判定する。
【００５５】
次に、図４を参照して、タッチ入力補助ツール５Ａの使用方法を説明する。図４は、タッチ入力補助ツール５Ａがタッチ入力装置１に配置された状態を示す斜視図である。
【００５６】
図４に示すように、ユーザーは、タッチ入力補助ツール５Ａをタッチ入力面１ａに配置する。そして、ユーザーは、タッチ入力補助ツール５Ａの複数の記号５５のうち、所望のタッチ入力ボタン機能を示す記号５５を、タッチ入力物体２００によってタッチする。その結果、タッチ入力装置１は、記号５５の直下の対応領域５５０に付加されたタッチ入力ボタン機能（具体的には、キーボードのキーの機能）による入力内容（具体的には、キー情報）を、コンピューター３００に入力する。
【００５７】
ここで、図４に示すように、タッチ入力補助ツール５は、シート状の本体部５１に加えて、識別部５３をさらに含む。識別部５３は、タッチ入力補助ツール５の種類を識別する識別情報を有している。以下、「タッチ入力補助ツール５の種類を識別する識別情報」を「タッチ入力補助ツール５の識別情報」と記載する場合がある。識別部５３は、略扁平な形状を有している。本実施形態では、検出部１０の検出方式が静電容量方式であるため、識別部５３は導電性を有する。
【００５８】
図５（ａ）〜図５（ｃ）は、識別部５３の一例を示す図である。図５（ａ）〜図５（ｃ）に示すように、識別部５３は、複数の導電要素５３０を含む。複数の導電要素５３０の各々は導電性を有する。識別部５３は、複数の導電要素５３０のユニークな配置パターンによって、タッチ入力補助ツール５の識別情報を形成している。図５（ａ）〜図５（ｃ）の例では、１つの識別部５３において、複数の導電要素５３０は非対称に配置される。
【００５９】
なお、検出部１０による検出方式が電磁誘導方式である場合、例えば、識別部５３は、電磁誘導タグによって構成される。電磁誘導タグはコイルを含む。
【００６０】
次に、図２および図６（ａ）〜図７を参照して、制御部１１の処理の詳細を説明する。図６（ａ）は、タッチ入力補助ツール５がタッチ入力面１ａに配置された状態を示す平面図である。図６（ｂ）は、タッチ入力補助ツール５に対応する複数の対応領域５５０を示す平面図である。
【００６１】
図２および図６（ａ）に示すように、タッチ入力補助ツール５がタッチ入力面１ａに配置されると、検出部１０は、タッチ入力補助ツール５の位置を検出する。具体的には、検出部１０は、タッチ入力補助ツール５の識別部５３の位置を検出する。さらに具体的には、検出部１０は、識別部５３を構成する各導電要素５３０（図５）の位置を検出する。
【００６２】
検出部１０は、タッチ入力補助ツール５の位置を示す位置情報（以下、「位置情報ＰＳ」と記載する場合がある。）を、制御部１１に出力する。具体的には、位置情報ＰＳは、識別部５３の位置を示す。さらに具体的には、位置情報ＰＳは、識別部５３を構成する各導電要素５３０の位置を示す。
【００６３】
機能付加部１１１は、タッチ入力補助ツール５の位置情報ＰＳに基づいて、タッチ入力補助ツール５の位置Ｐを特定する。
【００６４】
具体的には、機能付加部１１１は、識別部５３の位置に基づいてタッチ入力補助ツール５の位置Ｐを特定する。例えば、機能付加部１１１は、識別部５３の位置をタッチ入力補助ツール５の位置Ｐに設定する。
【００６５】
さらに具体的には、機能付加部１１１は、識別部５３を構成する複数の導電要素５３０（図５）のうちの１以上の導電要素５３０の位置に基づいて、タッチ入力補助ツール５の位置Ｐを特定する。例えば、機能付加部１１１は、複数の導電要素５３０のうち、特定位置に位置する導電要素５３０の位置を、タッチ入力補助ツール５の位置Ｐに設定する。図６（ａ）の例では、特定位置は、識別部５３の左上角の位置である。
【００６６】
なお、タッチ入力補助ツール５の位置を特定できる限りにおいては、タッチ入力補助ツール５の位置の特定方法は特に限定されない。例えば、機能付加部１１１は、複数の導電要素５３０（図５）の位置の平均値を、タッチ入力補助ツール５の位置Ｐに設定してもよい。
【００６７】
機能付加部１１１は、検出部１０による識別部５３の検出結果に基づいて、タッチ入力補助ツール５の識別情報を取得する。本実施形態では、機能付加部１１１は、タッチ入力補助ツール５の位置情報ＰＳを解析して、タッチ入力補助ツール５の識別情報を取得する。
【００６８】
具体的には、機能付加部１１１は、識別部５３を構成する複数の導電要素５３０の位置に基づいて、複数の導電要素５３０の配置パターンを特定する。そして、機能付加部１１１は、特定した配置パターンに基づいて、タッチ入力補助ツール５の識別情報を取得する。例えば、記憶部１３は、配置パターンテーブル（以下、「配置パターンテーブルＡＰ」と記載する。）を記憶している。配置パターンテーブルＡＰは、複数の配置パターンごとに、配置パターンとタッチ入力補助ツール５の識別情報とを関連付けている。そして、機能付加部１１１は、特定した配置パターンに関連付けられたタッチ入力補助ツール５の識別情報を、配置パターンテーブルＡＰから取得する。
【００６９】
図６（ｂ）に示すように、機能付加部１１１は、配置パターンテーブルＡＰから取得した識別情報によって示されるタッチ入力補助ツール５に対応して、タッチ入力面１ａに対して対応領域５５０を設定する。図６（ｂ）の例では、機能付加部１１１は、タッチ入力補助ツール５に対応して、タッチ入力面１ａに対して複数の対応領域５５０を設定する。具体的には、機能付加部１１１は、図６（ａ）に示す複数の記号５５にそれぞれ対応して複数の対応領域５５０を設定する。この場合、機能付加部１１１は、記号５５と対応領域５５０とを一対一に対応させて、記号５５の直下に対応領域５５０を設定する。
【００７０】
具体的には、機能付加部１１１は、タッチ入力補助ツール５の識別情報と参照テーブルＴＢとに基づいて、タッチ入力面１ａに対して対応領域５５０を設定する。参照テーブルＴＢは、記憶部１３に記憶されている。
【００７１】
図７は、参照テーブルＴＢを示す図である。図７に示すように、参照テーブルＴＢは、タッチ入力補助ツール５の識別情報Ｔ１ごとに、タッチ入力補助ツール５の識別情報Ｔ１と、入力デバイスの種類を示す情報Ｔ２と、タッチ入力ボタン機能の種別を示す情報Ｔ３と、タッチ入力補助ツール５の位置Ｐ（図６）に対する対応領域５５０の相対位置を示す情報Ｔ４とを関連付けている。また、対応領域５５０の相対位置を示す情報Ｔ４には、対応領域５５０のサイズおよび形状を示す情報が関連付けられている。なお、入力デバイスの種類を示す情報Ｔ２に、タッチ入力補助ツール５のサイズを示す情報が関連付けられていてもよい。
【００７２】
図２に示す機能付加部１１１は、タッチ入力補助ツール５の識別情報Ｔ１に基づいて、参照テーブルＴＢから、対応領域５５０の相対位置を示す情報Ｔ４を取得する。そして、機能付加部１１１は、対応領域５５０の相対位置を示す情報Ｔ４に基づいて、タッチ入力面１ａに対して対応領域５５０を設定する。
【００７３】
機能付加部１１１は、検出部１０がタッチ入力補助ツール５を検出した場合、タッチ入力補助ツール５の識別情報Ｔ１に基づいて、参照テーブルＴＢから、入力デバイスの種類を示す情報Ｔ２と、タッチ入力ボタン機能の種別を示す情報Ｔ３とを取得する。そして、機能付加部１１１は、入力デバイスの種類を示す情報Ｔ２と、タッチ入力ボタン機能の種別を示す情報Ｔ３とに基づいて、対応領域５５０に対して、入力デバイスの種類に応じたタッチ入力ボタン機能を付加する。
【００７４】
図２に示す入力判定部１１３は、検出部１０が対応領域５５０に対するタッチ入力物体２００によるタッチ入力を検出した場合、参照テーブルＴＢを参照して、タッチ入力物体２００によるタッチ位置を含む対応領域５５０を、複数の対応領域５５０から特定する。そして、入力判定部１１３は、参照テーブルＴＢを参照して、特定した対応領域５５０に関連付けられた入力デバイスの種類を示す情報Ｔ２と、特定した対応領域５５０に関連付けられたタッチ入力ボタン機能の種別を示す情報Ｔ３とに基づいて、特定した対応領域５５０に付加されたタッチ入力ボタン機能による入力が行われたものと判定する。
【００７５】
次に、図８を参照して、タッチ入力補助ツール５の第２例を説明する。以下、第２例に係るタッチ入力補助ツール５を「タッチ入力補助ツール５Ｂ」と記載する場合がある。
【００７６】
図８は、タッチ入力補助ツール５Ｂを示す平面図である。図８では、説明の便宜のために、対応領域５５０を破線で示している。図８では、３つの対応領域５５０が示されている。
【００７７】
図８に示すタッチ入力補助ツール５Ｂには、マウスによるタッチ入力ボタン機能が対応付けられている。つまり、タッチ入力補助ツール５Ｂに対応付けられたタッチ入力ボタン機能は、マウスとしての入力機能を示す。従って、機能付加部１１１は、マウスとしての入力機能を対応領域５５０に付加する。その結果、ユーザーは、タッチ入力補助ツール５Ｂをタッチ入力面１ａに配置することで、タッチ入力補助ツール５Ｂをマウス（具体的には疑似マウス）として利用できる。よって、本実施形態によれば、コンピューター３００に対する入力の利便性をさらに向上できる。マウスは、「入力デバイス」の一例に相当する。
【００７８】
具体的には、タッチ入力補助ツール５Ｂには、マウスを構成する左ボタンの機能と右ボタンの機能とホイールボタンの機能とをそれぞれ示す３つのタッチ入力ボタン機能が対応付けられている。従って、機能付加部１１１は、３つの対応領域５５０に対して、それぞれ、３つのタッチ入力ボタン機能を付加する。
【００７９】
また、タッチ入力補助ツール５Ｂは、マウスを示す形態を有している。従って、本実施形態によれば、ユーザーは、タッチ入力補助ツール５Ｂをマウス（具体的には疑似マウス）として利用できることを容易に認識できる。
【００８０】
具体的には、タッチ入力補助ツール５Ｂは、マウスを模式的に示した形態を有している。例えば、タッチ入力補助ツール５Ｂの本体部５１の上面５ｘまたは下面には、マウスを模式的に示した図柄が表示（例えば、標示または印刷）されている。例えば、タッチ入力補助ツール５Ｂの本体部５１は、マウスを模式的に示した形状を有していてもよい。
【００８１】
さらに、タッチ入力補助ツール５Ｂ（具体的には本体部５１）には、対応領域５５０に付加されるタッチ入力ボタン機能の種別（マウスのボタンの種別）と対応領域５５０の範囲とのうち少なくとも一方を示す記号５５が表示（例えば標示または印刷）されている。図８の例では、３つのタッチ入力ボタン機能に対応して、３つの記号５５が、本体部５１に表示（例えば標示または印刷）されている。
【００８２】
図８の例では、マウスのボタン（左ボタン、右ボタン、ホイールボタン）の形状を示す記号５５（例えば、ボタンに対応した形状の図柄）を本体部５１の上面５ｘまたは下面に表示（例えば、標示または印刷）することで、タッチ入力ボタン機能の種別、つまり、タッチ入力ボタン機能に対応するボタンの種別（左ボタン、右ボタン、ホイールボタン）と、対応領域５５０の範囲、つまり、対応領域５５０に対応するボタン（左ボタン、右ボタン、ホイールボタン）の範囲とが示される。なお、図８では、図面を見易くするために、記号５５を示す実線と対応領域５５０を示す実線とをずらして図示している。
【００８３】
図２に示す入力判定部１１３は、検出部１０が対応領域５５０に対するタッチ入力を検出した場合、対応領域５５０に付加されたタッチ入力ボタン機能による入力が行われたものと判定する。入力内容は、マウスのボタンの種別（左ボタン、右ボタン、ホイールボタン）を示す。
【００８４】
ユーザーは、タッチ入力補助ツール５Ｂの３つの記号５５のうち、所望のタッチ入力ボタン機能を示す記号５５を、タッチ入力物体２００によってタッチする。その結果、タッチ入力装置１は、記号５５の直下の対応領域５５０に付加されたタッチ入力ボタン機能（具体的には、マウスのボタンの機能）による入力内容（具体的には、ボタン情報）を、コンピューター３００に入力する。
【００８５】
なお、タッチ入力補助ツール５Ｂは、ユーザーによってタッチ入力面１ａ上で移動されてもよい。この場合でも、検出部１０は、移動中のタッチ入力補助ツール５Ｂの位置を示す位置情報ＰＳを制御部１１に逐次出力している。従って、制御部１１の機能付加部１１１は、移動中のタッチ入力補助ツール５Ｂの位置情報ＰＳに基づいて、移動中のタッチ入力補助ツール５Ｂの位置Ｐを逐次特定する。そして、機能付加部１１１は、移動中のタッチ入力補助ツール５Ｂの位置Ｐを示す情報をコンピューター３００に逐次入力する。コンピューター３００は、移動中のタッチ入力補助ツール５Ｂの位置Ｐに対応して、ディスプレイ４００に表示されたカーソルＣＲを移動させる。
【００８６】
次に、図９を参照して、タッチ入力補助ツール５の第３例を説明する。以下、第３例に係るタッチ入力補助ツール５を「タッチ入力補助ツール５Ｃ」と記載する場合がある。
【００８７】
図９は、タッチ入力補助ツール５Ｃを示す平面図である。図９では、説明の便宜のために、対応領域５５０を破線で示している。図９では、２つの対応領域５５０が示されている。
【００８８】
図９に示すタッチ入力補助ツール５Ｃには、タッチパッドによるタッチ入力ボタン機能が対応付けられている。つまり、タッチ入力補助ツール５Ｃに対応付けられたタッチ入力ボタン機能は、タッチパッドとしての入力機能を示す。従って、機能付加部１１１は、タッチパッドとしての入力機能を対応領域５５０に付加する。その結果、ユーザーは、タッチ入力補助ツール５Ｃをタッチ入力面１ａに配置することで、タッチ入力補助ツール５Ｃをタッチパッド（具体的には疑似タッチパッド）として利用できる。よって、本実施形態によれば、コンピューター３００に対する入力の利便性をさらに向上できる。タッチパッドは、「入力デバイス」の一例に相当する。
【００８９】
具体的には、タッチ入力補助ツール５Ｃには、タッチパッドを構成する左ボタンの機能と右ボタンの機能とをそれぞれ示す２つのタッチ入力ボタン機能が対応付けられている。従って、機能付加部１１１は、２つの対応領域５５０に対して、それぞれ、２つのタッチ入力ボタン機能を付加する。
【００９０】
また、タッチ入力補助ツール５Ｃは、タッチパッドを示す形態を有している。従って、本実施形態によれば、ユーザーは、タッチ入力補助ツール５Ｃをタッチパッド（具体的には疑似タッチパッド）として利用できることを容易に認識できる。
【００９１】
具体的には、タッチ入力補助ツール５Ｃは、タッチパッドを模式的に示した形態を有している。例えば、タッチ入力補助ツール５Ｃの本体部５１の上面５ｘまたは下面には、タッチパッドを模式的に示した図柄が表示（例えば、標示または印刷）されている。例えば、タッチ入力補助ツール５Ｂの本体部５１は、タッチパッドを模式的に示した形状を有している。
【００９２】
さらに、タッチ入力補助ツール５Ｃ（具体的には本体部５１）には、対応領域５５０に付加されるタッチ入力ボタン機能の種別（タッチパッドのボタンの種別）と対応領域５５０の範囲とのうち少なくとも一方を示す記号５５が表示（例えば標示または印刷）されている。図９の例では、２つのタッチ入力ボタン機能に対応して、２つの記号５５が、本体部５１に表示（例えば標示または印刷）されている。
【００９３】
図９の例では、タッチパッドのボタン（左ボタン、右ボタン）の形状を示す記号５５（例えば、ボタンに対応した形状の図柄）を本体部５１の上面５ｘまたは下面に表示（例えば、標示または印刷）することで、タッチ入力ボタン機能の種別、つまり、タッチ入力ボタン機能に対応するボタンの種別（左ボタン、右ボタン）と、対応領域５５０の範囲、つまり、対応領域５５０に対応するボタン（左ボタン、右ボタン）の範囲とが示される。なお、図９では、図面を見易くするために、記号５５を示す実線と対応領域５５０を示す実線とをずらして図示している。
【００９４】
図２に示す入力判定部１１３は、検出部１０が対応領域５５０に対するタッチ入力を検出した場合、対応領域５５０に付加されたタッチ入力ボタン機能による入力が行われたものと判定する。入力内容は、タッチパッドのボタンの種別（左ボタン、右ボタン）を示す。
【００９５】
ユーザーは、タッチ入力補助ツール５Ｃの２つの記号５５のうち、所望のタッチ入力ボタン機能を示す記号５５を、タッチ入力物体２００によってタッチする。その結果、タッチ入力装置１は、記号５５の直下の対応領域５５０に付加されたタッチ入力ボタン機能（具体的には、タッチパッドのボタンの機能）による入力内容（具体的には、ボタン情報）を、コンピューター３００に入力する。
【００９６】
また、タッチ入力補助ツール５Ｃには、タッチパッドを構成するスライドパッドの機能を示すスライドパッド機能が対応付けられている。そして、機能付加部１１１は、タッチ入力面１ａのうち、タッチ入力補助ツール５Ｃの位置に対応する対応領域５７０に対して、スライドパッド機能を付加する。対応領域５７０は、タッチ入力補助ツール５Ｃの位置に対応する領域であって、タッチ入力面１ａ上の領域を示す。対応領域５７０の位置は、対応領域５５０の位置と異なる。入力判定部１１３は、検出部１０が対応領域５７０に対するタッチ入力を検出した場合、対応領域５７０内のタッチ位置を示す情報をコンピューター３００に入力する。コンピューター３００は、対応領域５７０内のタッチ位置に対応して、ディスプレイ４００にカーソルＣＲを表示させる。この場合、対応領域５７０とディスプレイ４００の画面４００ａとは一対一に対応している。
【００９７】
なお、図３、図８、および、図９に示すタッチ入力補助ツール５は、複数の識別部５３を含んでいてもよい。この場合は、タッチ入力補助ツール５のサイズを精度良く検出できる。従って、機能付加部１１１は、タッチ入力補助ツール５のサイズに対応して精度良く対応領域５５０を付加できる。例えば、タッチ入力補助ツール５の本体部５１が略矩形形状を有する場合、本体部５１の対角線上において、本体部５１の２つの隅部に、それぞれ、２つの識別部５３を配置する。
【００９８】
次に、図２および図１０を参照して、タッチ入力装置１の制御部１１の処理を説明する。図１０は、制御部１１の処理を示すフローチャートである。図１０に示すように、処理は、ステップＳ１〜ステップＳ８を含む。
【００９９】
図２および図１０に示すように、ステップＳ１において、機能付加部１１１は、検出部１０がタッチ入力補助ツール５を検出したか否かを判定する。
【０１００】
ステップＳ１で検出部１０がタッチ入力補助ツール５を検出していないと判定された場合（Ｎｏ）、処理はステップＳ１を繰り返す。機能付加部１１１は、例えば、検出部１０がタッチ入力補助ツール５の位置情報ＰＳを出力していない場合、または、検出部１０がタッチ入力補助ツール５を検出していないことを示す特定信号ＳＧを出力した場合、検出部１０がタッチ入力補助ツール５を検出していないと判定する。
【０１０１】
一方、ステップＳ１で検出部１０がタッチ入力補助ツール５を検出したと判定された場合（Ｙｅｓ）、処理はステップＳ２に進む。機能付加部１１１は、例えば、検出部１０がタッチ入力補助ツール５の位置情報ＰＳを出力している場合、または、検出部１０がタッチ入力補助ツール５を検出していることを示す特定信号ＳＧを出力した場合、検出部１０がタッチ入力補助ツール５を検出していると判定する。
【０１０２】
ステップＳ２において、機能付加部１１１は、検出部１０による識別部５３の検出結果に基づいて、タッチ入力補助ツール５の識別情報（ＩＤ）を取得する。
【０１０３】
ステップＳ３において、機能付加部１１１は、タッチ入力補助ツール５の識別情報（ＩＤ）および参照テーブルＴＢ（図７）に基づいて、タッチ入力面１ａに複数の対応領域５５０を設定する。
【０１０４】
ステップＳ４において、機能付加部１１１は、タッチ入力補助ツール５の識別情報（ＩＤ）および参照テーブルＴＢ（図７）に基づいて、複数の対応領域５５０に対して、それぞれ、複数のタッチ入力ボタン機能を付加する。
【０１０５】
ステップＳ５において、入力判定部１１３は、検出部１０が対応領域５５０に対するタッチ入力を検出したか否かを判定する。
【０１０６】
ステップＳ５で対応領域５５０に対するタッチ入力が検出されていないと判定された場合（Ｎｏ）、処理はステップＳ８に進む。
【０１０７】
一方、ステップＳ５で対応領域５５０に対するタッチ入力が検出されたと判定された場合（Ｙｅｓ）、処理はステップＳ６に進む。
【０１０８】
ステップＳ６において、入力判定部１１３は、参照テーブルＴＢ（図７）に基づいて、タッチ位置に対応する対応領域５５０に付加されたタッチ入力ボタン機能による入力が行われたものと判定する。具体的には、入力判定部１１３は、参照テーブルＴＢに基づいて、複数の対応領域５５０から、タッチ位置を含む対応領域５５０を特定する。そして、入力判定部１１３は、参照テーブルＴＢに基づいて、特定した対応領域５５０に付加されたタッチ入力ボタン機能による入力が行われたものと判定する。
【０１０９】
ステップＳ７において、入力判定部１１３は、タッチ入力ボタン機能による入力内容を示す情報を、コンピューター３００に入力する。
【０１１０】
ステップＳ８において、入力判定部１１３は、ステップＳ１と同様にして、検出部１０がタッチ入力補助ツール５を検出したか否かを判定する。
【０１１１】
ステップＳ８で検出部１０がタッチ入力補助ツール５を検出していないと判定された場合（Ｎｏ）、処理はステップＳ１に進む。
【０１１２】
一方、ステップＳ８で検出部１０がタッチ入力補助ツール５を検出したと判定された場合（Ｙｅｓ）、処理はステップＳ５に進む。
【０１１３】
以上、図１０を参照して説明したように、本実施形態によれば、機能付加部１１１は、検出部１０がタッチ入力補助ツール５を検出した場合、タッチ入力面１ａのうちの対応領域５５０に対して、タッチ入力補助ツール５に対応するタッチ入力ボタン機能を付加する。従って、ユーザーは、タッチ入力補助ツール５をタッチ入力面１ａに配置することで、タッチ入力面１ａに対してタッチ入力ボタン機能を容易に付加できる。
【０１１４】
以上、図面を参照して本発明の実施形態について説明した。ただし、本発明は、上記の実施形態に限られるものではなく、その要旨を逸脱しない範囲で種々の態様において実施できる。また、上記の実施形態に開示される複数の構成要素は適宜改変可能である。例えば、ある実施形態に示される全構成要素のうちのある構成要素を別の実施形態の構成要素に追加してもよく、または、ある実施形態に示される全構成要素のうちのいくつかの構成要素を実施形態から削除してもよい。
【０１１５】
また、図面は、発明の理解を容易にするために、それぞれの構成要素を主体に模式的に示しており、図示された各構成要素の厚さ、長さ、個数、間隔等は、図面作成の都合上から実際とは異なる場合もある。また、上記の実施形態で示す各構成要素の構成は一例であって、特に限定されるものではなく、本発明の効果から実質的に逸脱しない範囲で種々の変更が可能であることは言うまでもない。
【産業上の利用可能性】
【０１１６】
本発明は、タッチ入力システム、タッチ入力装置、および、タッチ入力補助ツールを提供するものであり、産業上の利用可能性を有する。
【符号の説明】
【０１１７】
１    タッチ入力装置
１ａ    タッチ入力面
５、５Ａ、５Ｂ、５Ｃ    タッチ入力補助ツール
１０    検出部
１００    タッチ入力システム
１１１    機能付加部
１１３    入力判定部
２００    タッチ入力物体
【図１】
2020204825.tif 000003
【図２】
2020204825.tif 000004
【図３】
2020204825.tif 000005
【図４】
2020204825.tif 000006
【図５】
2020204825.tif 000007
【図６】
2020204825.tif 000008
【図７】
2020204825.tif 000009
【図８】
2020204825.tif 000010
【図９】
2020204825.tif 000011
【図１０】
2020204825.tif 000012